(57)【要約】【課題】  簡単な手段を採用することによって，排水溝開口部の各側面とグレーチングとの間の隙間にごみ，水等が溜まりにくいようにした排水設備を提供する。【解決手段】  排水設備１は，床面３に開口する排水溝４と，その排水溝４の開口部５に設置されるグレーチング６とを備えている。開口部５は，グレーチング６を受けるべく，排水溝長さ方向に伸び，且つ床面３よりも下位に在る２つの段面７と，各段面７と床面３とを結ぶ側面８とを有する。両側面８の全体は，それぞれ床面３側より段面７に向って下り勾配で，且つその段面７に連なるように傾斜している。グレーチング６は，そのグレーチング６および側面８間に存する隙間ｂと排水溝４内とを連通する通路ｃを有する。【選択図】      図２
2005036531.tif 000002
【特許請求の範囲】
【請求項１】
床面（３）に開口する排水溝（４）と，その排水溝（４）の開口部（５）に設置されるグレーチング（６）とを備え，前記開口部（５）は，前記グレーチング（６）を受けるべく，排水溝長さ方向（ａ）に伸び，且つ前記床面（３）よりも下位に在る２つの段面（７）と，各段面（７）と前記床面（３）とを結ぶ側面（８）とを有する排水設備において，前記両側面（８）の全体および主たる部分の一方は，それぞれ前記床面（３）側より前記段面（７）に向って下り勾配で，且つその段面（７）に連なるように傾斜しており，前記グレーチング（６）は，そのグレーチング（６）および前記側面（８）間に存する隙間（ｂ）と前記排水溝（４）内とを連通する通路（ｃ）を有することを特徴とする排水設備。
【請求項２】
前記グレーチング（６）は，排水溝長さ方向（ａ）に並列する複数のメインバー（１３0 ，１３1 ，１３2 ）と，各メインバー（１３0 ，１３1 ，１３2 ）の両端部を連結する２つのサイドバー（１４）とを有し，それらメインバー（１３0 ，１３1 ，１３2 ）は，排水溝長さ方向（ａ）両端に配置され，且つ両端部をそれぞれ前記両段面（７）に載せた２つの端部メインバー（１３0 ）と，それら端部メインバー（１３0 ）間に間隔をとって配置され，且つ両端部をそれぞれ前記両段面（７）に載せた複数の中間部第１メインバー（１３1 ）と，一方の前記端部メインバー（１３0 ）およびそれに最も近い前記中間部第１メインバー（１３1 ）により規定された区間（ｄ），２つの最も近くに在る前記両中間部第１メインバー（１３1 ）により規定された区間（ｅ）が複数在って，それらの区間（ｅ）の全部ならびに他方の前記端部メインバー（１３0 ）およびそれに最も近い前記中間部第１メインバー（１３1 ）により規定された区間（ｄ）にそれぞれ配置されて，両端部をそれぞれ両段面（７）から離間させた複数の中間部第２メインバー（１３2 ）とに分けられ，前記両サイドバー（１４）はそれぞれ前記両段面（７）から離間しており，各段面（７）上方にて，一方の前記端部メインバー（１３0 ）およびそれに最も近い前記中間部第１メインバー（１３1 ）間に在る空間（ｆ），２つの最も近くに位置する前記両中間部第１メインバー（１３1 ）間に在る空間（ｇ）が複数在ってそれらの全部ならびに他方の前記端部メインバー（１３0 ）およびそれに最も近い前記中間部第１メインバー（１３1 ）間に在る空間（ｆ）が前記通路（ｃ）として機能する，請求項１記載の排水設備。
【請求項３】
相隣る前記両メインバー（１３0 ，１３2 ；１３2 ，１３2 ；１３1 ，１３2 ）間に存する空間の各端部に，それぞれ前記各サイドバー（１４）上面から前記排水溝（４）に向って下り勾配の傾斜板（１５）が配設されている，請求項２記載の排水設備。
【発明の詳細な説明】
【技術分野】
【０００１】
本発明は排水設備に関する。
【背景技術】
【０００２】
従来，この種の排水設備としては，床面に開口する排水溝と，その排水溝の開口部に設置されるグレーチングとを備え，開口部は，グレーチングを受けるべく，排水溝長さ方向に伸び，且つ床面よりも下位に在る２つの段面と，各段面と床面とを結ぶ側面とを有するものが知られている。この場合，グレーチングは，排水溝長さ方向に並列し，且つ両端部をそれぞれ両段面に載せられた複数のメインバーと，両段面上にて，各メインバーの両端部をそれぞれ連結する２つのサイドバーとを有する。
【０００３】
この排水設備においては，排水溝開口部の各側面とグレーチングの各サイドバーとの間に，グレーチングの設置作業性および取外し作業性を考慮して隙間が在るためその隙間にごみ，水等が溜まり易く，特に，厨房においては雑菌の増殖を招く等不衛生である，という問題があった。
【０００４】
そこで，グレーチングに前記隙間を覆う水平板を付設したものが提案されている（特許文献１参照）。
【特許文献１】特開２００１−１５９１８９号公報
【発明の開示】
【発明が解決しようとする課題】
【０００５】
しかしながら前記のように構成すると，グレーチングの部品点数が増えるため，製造コストが嵩み，また水平板の下面側より前記隙間に汚水等が浸入した場合，その汚水は逃げ場が無いことからその隙間に溜まることになって不衛生であった。
【課題を解決するための手段】
【０００６】
本発明は前記に鑑み提案されたもので，簡単な手段を採用することによって，排水溝開口部の各側面とグレーチングとの間の隙間にごみ，水等が溜まりにくいようにした前記排水設備を提供することを第１の目的とする。
【０００７】
前記目的を達成するため第１発明によれば，床面に開口する排水溝と，その排水溝の開口部に設置されるグレーチングとを備え，前記開口部は，前記グレーチングを受けるべく，排水溝長さ方向に伸び，且つ前記床面よりも下位に在る２つの段面と，各段面と前記床面とを結ぶ側面とを有する排水設備において，前記両側面の全体および主たる部分の一方は，それぞれ前記床面側より前記段面に向って下り勾配で，且つその段面に連なるように傾斜しており，前記グレーチングは，そのグレーチングおよび前記側面間に存する隙間と前記排水溝内とを連通する通路を有する排水設備が提供される。
【０００８】
また本発明は前記第１の目的に加え，相隣る両メインバーの両端部およびサイドバーによって両段面上にごみ，水等が溜まり易い空間が生じないようにした前記排水設備を提供することを第２の目的とする。
【０００９】
前記目的を達成するため第２発明によれば，前記グレーチングは，排水溝長さ方向に並列する複数のメインバーと，各メインバーの両端部を連結する２つのサイドバーとを有し，それらメインバーは，排水溝長さ方向両端に配置され，且つ両端部をそれぞれ前記両段面に載せた２つの端部メインバーと，それら端部メインバー間に間隔をとって配置され，且つ両端部をそれぞれ前記両段面に載せた複数の中間部第１メインバーと，一方の前記端部メインバーおよびそれに最も近い前記中間部第１メインバーにより規定された区間，２つの最も近くに在る前記両中間部第１メインバーにより規定された区間が複数在って，それらの区間の全部ならびに他方の前記端部メインバーおよびそれに最も近い前記中間部第１メインバーにより規定された区間にそれぞれ配置されて，両端部をそれぞれ両段面から離間させた複数の中間部第２メインバーとに分けられ，前記両サイドバーはそれぞれ前記両段面から離間しており，各段面上方にて，一方の前記端部メインバーおよびそれに最も近い前記中間部第１メインバー間に在る空間，２つの最も近くに位置する前記両中間部第１メインバー間に在る空間が複数在ってそれらの全部ならびに他方の前記端部メインバーおよびそれに最も近い前記中間部第１メインバー間に在る空間が前記通路として機能する排水設備が提供される。
【００１０】
さらに本発明は前記第１および第２の目的に加え，床面からサイドバーを越えたごみ，水等を排水溝にスムーズに導くことができるようにした前記排水設備を提供することを第３の目的とする。
【００１１】
前記目的を達成するため第３発明によれば，相隣る前記両メインバー間に存する空間の各端部に，それぞれ前記各サイドバー上面から前記排水溝に向って下り勾配の傾斜板が配設されている排水設備が提供される。
【発明の効果】
【００１２】
第１発明によれば，床面から，排水溝の開口部側面とグレーチングとの間の隙間に入り込んだごみ，水等が傾斜している側面または側面の傾斜している主たる部分を下ってグレーチングの通路より排水溝に落込むようにした，開口部の各側面とグレーチングとの間の隙間にごみ，水等が溜まりにくい衛生的な排水設備を提供することができる。
【００１３】
また通路は，グレーチングに切欠き部分を設けることによって容易に得られるから部品点数を増やすことが無く，製造コストの上昇を抑制することができる。
【００１４】
第２発明によれば，前記効果に加え，複数の中間部第２メインバーと両サイドバーとを両段面からそれぞれ離間させて，両段面上にごみ，水等が溜まり易い空間が生じないようにした，より衛生的な前記排水設備を提供することができる。
【００１５】
相隣る両メインバーの両端部および両サイドバーが両段面上に載っていると，各段面において，相隣る両メインバーの相対向する両端部およびサイドバーにより形成されたコ字形部によって，ごみ，水等が溜まり易い空間が生じる。
【００１６】
第３発明によれば，前記効果に加え，各サイドバーを越えたごみ，水等を各傾斜板によって排水溝にスムーズに導くことができるようにした，より一層衛生的な排水設備を提供することができる。
【発明を実施するための最良の形態】
【００１７】
図１〜４に示す第１実施例において，この排水設備１は，床２に形成されて，その床面３に開口する排水溝４と，その排水溝４の開口部５に設置されるグレーチング６とを備えている。開口部５は，グレーチング６を受けるべく，排水溝長さ方向ａに伸び，且つ床面３よりも下位に在る２つの段面７と，各段面７と床面３とを結ぶ側面８とを有する。この実施例では，各段面７および各側面８は，排水溝４の各縁枠材９の水平部１０およびそれに連設された立上り部１１にそれぞれ在る。その立上り部１１には床面３と高さのほぼ等しい上面を持つ折曲げ部１２が連設されており，その折曲げ部１２は立上り部１１の上側部分と協働して縁取部を形成する。各縁枠材９は金属，例えばステンレス鋼よりなる押出し材から切出されたものである。
【００１８】
両側面８の全体および主たる部分の一方，この実施例では両側面８全体が，それぞれ床面３側より段面７に向って下り勾配で，且つその段面７に連なるように傾斜している。グレーチング６は，そのグレーチング６および側面８間に存する隙間ｂと排水溝４内とを連通する通路ｃを有する。
【００１９】
この通路ｃは，具体的には次のように構成されている。即ち，グレーチング６は，排水溝長さ方向ａに並列する複数のステンレス鋼製メインバー１３0 ，１３1 ，１３2 と，各メインバー１３0 ，１３1 ，１３2 の両端部を連結（例えば，溶接によって）する２つのステンレス鋼製サイドバー１４とを有する。各メインバー１３0 ，１３1 ，１３2 および各サイドバー１４は板状をなし，また平行する二平面間の距離が最も小さく，且つ長い両面がそれぞれ上下方向を向く，つまり，上，下面となるように方向付けられると共に各メインバー１３0 ，１３1 ，１３2 および各サイドバー１４の上面は同一平面上に位置するようになっている。それらメインバーは，２つの端部メインバー１３0 と，複数の中間部第１メインバー１３1 と，複数の中間部第２メインバー１３2 とに分けられる。
【００２０】
２つの端部メインバー１３0 は，排水溝長さ方向ａ両端に配置され，且つ両端部をそれぞれ両段面７に載せられている。複数の中間部第１メインバー１３1 は，端部メインバー１３0 と同一の寸法を有するもので，両端部メインバー１３0 間に間隔をとって飛び飛びに配置され，且つ両端部をそれぞれ両段面７に載せられている。複数の中間部第２メインバー１３2 は端部メインバー１３0 の上下方向幅よりも狭い上下方向幅を有するもので，一方の端部メインバー１３0 およびそれに最も近い中間部第１メインバー１３1 により規定された区間ｄ，２つの最も近くに在る両中間部第１メインバー１３1 により規定された区間ｅが複数在って，それらの区間ｅの全部ならびに他方の端部メインバー１３0 およびそれに最も近い中間部第１メインバー１３1 により規定された区間ｄにそれぞれ配置されて，両端部をそれぞれ両段面７から離間させられている。
【００２１】
両サイドバー１４は，中間部第２メインバー１３2 の上下方向幅よりも狭い上下方向幅を有するもので，それぞれ両段面７から離間している。各段面７上方にて，一方の端部メインバー１３0 およびそれに最も近い中間部第１メインバー１３1 間に在る空間ｆ，２つの最も近くに位置する両中間部第１メインバー１３1 間に在る空間ｇが複数在って，それらの全部ならびに他方の端部メインバー１３0 およびそれに最も近い中間部第１メインバー１３1 間に在る空間ｆが前記通路ｃとして機能する。
【００２２】
前記のように構成すると，床面３から，排水溝４の開口部側面８とグレーチング６のサイドバー１４側との間の隙間ｂに進入したごみ，水等は，傾斜している側面８を下ってグレーチング６の通路ｃより排水溝４に落込むので，開口部５の各側面８とグレーチング６のサイドバー１４側との間の隙間ｂにごみ，水等が溜まりにくく衛生的である。
【００２３】
また複数の中間部第２メインバー１３2 と両サイドバー１４とを両段面７からそれぞれ離間させたので，両段面７上にごみ，水等が溜まり易い空間が無く，より衛生的である。      
【００２４】
図５，６に示す第２実施例においては，相隣る両メインバー１３0 ，１３2 ；１３2 ，１３2 ；１３1 ，１３2 間に存する空間の各端部に，それぞれ各サイドバー１４上面から排水溝４に向って下り勾配の傾斜板１５が配設されている。その他の構造は第１実施例と同じである。
【００２５】
このように構成すると，各サイドバー１４を越えたごみ，水等を各傾斜板１５によって排水溝４にスムーズに導くことができるので，より一層衛生的である。
【００２６】
図７〜９に示す第３実施例においては，各サイドバー１４および各傾斜板１５が，排水溝長さ方向ａに配置された複数のユニット１６より構成される。各ユニット１６は，板状をなす鉛直なサイドバー構成部１４0 と，板状をなし，且つサイドバー構成部１４0 上面から下り勾配の傾斜板構成部１５0 とよりなる。その傾斜板構成部１５0 に複数の中間部第２メインバー１３2 の一端部が接合（例えば，溶接により）され，これにより，傾斜板構成部１５0 の相隣る両中間部第２メインバー１３2 間が傾斜板１５として機能する。相隣る両ユニット１６間に中間部第１メインバー１３1 の一端部が挟まれて，それらが接合（例えば，溶接により）される。これにより，傾斜板構成部１５0 において，中間部第１メインバー１３1 とそれに隣接する中間部第２メインバー１３2 との間の部分が傾斜板１５として機能する。サイドバー１４は複数のサイドバー構成部１４0 を，相隣るものの間に中間部第１メインバー１３1 を挟んで接合することにより構成される。両端に位置するユニット２６の端面にそれぞれ端部メインバー１３0 が接合（例えば，溶接により）され，これによりグレーチング６が完成すると共に傾斜板構成部１５0 において，端部メインバー１３0 とそれに隣接する中間部第２メインバー１３2 との間の部分が傾斜板１５として機能する。
【００２７】
図１０，１１に示す第４実施例は，両端部メインバー１３0 および各中間部第１メインバー１３1 の両端部を除く主たる部分の上下方向幅を中間部第２メインバー１３2 のそれと同一にし，それらの両端部の上下方向幅を主たる部分のそれよりも広くしてそれら両端部１３ａを段面７に載せるようにしたものである。その他の構造は第１実施例と同じである。
【００２８】
これによりグレーチング６の軽量化および生産コストの低減を図ることができる。
【００２９】
図１２は，図２等に示した縁枠材９の各種変形例を示す。図１２（ａ）は側面８全体を曲面にして傾斜させた例，図１２（ｂ）は水平部１０に，下向きの折曲り部１７を連設して，その折曲り部１７と水平部１０の先端部分との協働で縁取部を形成するようにした例，図１２（ｃ）は立上り部１１を，水平部１０に連なる傾斜した主体部分１１ａと，その主体部分１１ａに連なる鉛直部分１１ｂとより構成して，上側に在った折曲げ部１２を省いた例，図１２（ｄ）は立上り部１１を，水平部１０に連なる傾斜した主体部分１１ａと，その主体部分１１ａに連なる鉛直部分１１ｂとより構成した例にそれぞれ該当する。
【００３０】
図１２（ｃ），（ｄ）においては，各側面８の主たる部分が，床面３側より段面７に向って下り勾配で，且つその段面７に連なるように傾斜している。
【図面の簡単な説明】
【００３１】
【図１】排水設備の第１実施例の平面図である。
【図２】図１の２−２線断面図である。
【図３】グレーチングの斜視図である。
【図４】排水設備の第１実施例の要部破断斜視図である。
【図５】排水設備の第２実施例の要部破断斜視図である。
【図６】図５の６−６線断面図である。
【図７】排水設備の第３実施例の要部破断斜視図である。
【図８】図７の８−８線断面図である。
【図９】グレーチングの要部分解斜視図である。
【図１０】排水設備の第４実施例の要部断面図で，図６，８に対応する。
【図１１】グレーチングの要部斜視図である。
【図１２】縁枠材の各種変形例の断面図である。
【符号の説明】
【００３２】
１…………排水設備
３…………床面
４…………排水溝
５…………開口部
６…………グレーチング
７…………段面
８…………側面
１３0 ……端部メインバー（メインバー）
１３1 ……中間部第１メインバー（メインバー）
１３2 ……中間部第２メインバー（メインバー）
１４………サイドバー
１５………傾斜板
ａ…………排水溝長さ方向
ｂ…………隙間
ｃ…………通路
ｄ，ｅ……区間
ｆ，ｇ……空間
【図１】
2005036531.tif 000003
【図２】
2005036531.tif 000004
【図３】
2005036531.tif 000005
【図４】
2005036531.tif 000006
【図５】
2005036531.tif 000007
【図６】
2005036531.tif 000008
【図７】
2005036531.tif 000009
【図８】
2005036531.tif 000010
【図９】
2005036531.tif 000011
【図１０】
2005036531.tif 000012
【図１１】
2005036531.tif 000013
【図１２】
2005036531.tif 000014